(57)【要約】  本発明は、電流損失を低減することができ、製造コストが安価な絶縁型スイッチング電源装置を提供する。  本発明は、トランスＴと、少なくともスイッチング素子を有し、該スイッチング素子のオン・オフを制御して入力電力を入力端子Ｉｎから１次巻線１２に供給する１次側回路１１と、該１次側回路１１と絶縁され、トランスＴで電力変換された出力電力を２次巻線２２から出力端子Ｏｕｔへ出力する２次側回路２１とを備える絶縁型スイッチング電源装置である。１次巻線１２が接続され、１次側回路１１及び入力端子Ｉｎを備える第１回路基板１０と、２次巻線２２が接続され、２次側回路２１及び出力端子Ｏｕｔを備える第２回路基板２０とを有し、第１回路基板１０と第２回路基板２０とを積層配置し、第１回路基板１０及び第２回路基板２０を貫通するコア３０に、１次巻線１２及び２次巻線２２を巻回してある。
2012108221.tif 000002
【特許請求の範囲】
【請求項１】
１次巻線と、２次巻線と、コアとを有するトランスと、
少なくともスイッチング素子を有し、該スイッチング素子のオン・オフを制御して入力電力を入力端子から前記１次巻線に供給する１次側回路と、
該１次側回路と絶縁され、前記トランスで電力変換された出力電力を前記２次巻線から出力端子へ出力する２次側回路と
を備える絶縁型スイッチング電源装置であって、
前記１次巻線が接続され、前記１次側回路及び前記入力端子を備える第１回路基板と、
前記２次巻線が接続され、前記２次側回路及び前記出力端子を備える第２回路基板と
を有し、
前記第１回路基板と前記第２回路基板とを積層配置し、前記コアは、前記１次巻線及び前記２次巻線の双方が巻回されるように、前記第１回路基板及び前記第２回路基板を貫通することを特徴とする絶縁型スイッチング電源装置。
【請求項２】
積層配置した前記第１回路基板と前記第２回路基板との間の距離を変更することにより、前記１次巻線と前記２次巻線との間の距離を変更して、前記トランスに生じる漏れインダクタンスの大きさを変化させ、
前記トランスに生じた前記漏れインダクタンスを、前記１次巻線又は前記２次巻線に直列接続するインダクタのインダクタンスとして用いることを特徴とする請求項１に記載の絶縁型スイッチング電源装置。
【請求項３】
積層配置した前記第１回路基板と前記第２回路基板との間の距離を決定するスペーサを備えることを特徴とする請求項１又は２に記載の絶縁型スイッチング電源装置。
【請求項４】
前記１次巻線は、前記第１回路基板にコイルパターンとして形成され、前記２次巻線は、前記第２回路基板にコイルパターンとして形成されていることを特徴とする請求項１乃至３のいずれか一項に記載の絶縁型スイッチング電源装置。
【請求項５】
前記第１回路基板は、前記第２回路基板と対向する面の裏側の面に前記１次側回路の部品が配置され、前記第２回路基板は、前記第１回路基板と対向する面の裏側の面に前記２次側回路の部品が配置されていることを特徴とする請求項１乃至４のいずれか一項に記載の絶縁型スイッチング電源装置。
【発明の詳細な説明】
【技術分野】
【０００１】
本発明は、絶縁型スイッチング電源装置に関し、特にトランスを備える絶縁型スイッチング電源装置に関する。
【背景技術】
【０００２】
特許文献１に開示してあるスイッチング電源モジュールは、電力変換回路部が形成された回路基板を複数有し、複数の回路基板が間隔を介して積層配置されている。また、各回路基板には、それぞれの端縁部分に複数の導体ランドパターンが互いに所定の間隔で配列され、各回路基板に配列された導体ランドパターン同士が、導電体から成る共通端子で接続されている。複数の共通端子のうちの少なくとも１つは、回路基板の積層方向に沿って設けた外部接続用部位として機能する脚部を有している。【０００３】
特許文献２に開示してあるスイッチング電源装置は、電力変換を行うトランスを備え、トランスが、プリント基板の貫通孔を挿通するコアと、プリント基板の貫通孔の周囲に形成したコイルパターンとを有している。
【先行技術文献】
【特許文献】
【０００４】
【特許文献１】特開２００４−２２２４８６号公報
【特許文献２】国際公開２００７／０６９４０３号
【発明の概要】
【発明が解決しようとする課題】
【０００５】
特許文献１に開示してあるスイッチング電源モジュールは、複数の回路基板を積層配置する構成であるが、それぞれの回路基板に電力変換回路部が形成してある。すなわち、一つのモジュールに同じ回路を重複して設けてあるので、製造コストが高価になるという問題がある。また、複数の回路基板にそれぞれ形成してある電力変換回路部に電流を流すため、各回路基板に配列された導体ランドパターン同士を接続する共通端子に大電流を流す必要があり、スイッチング電源モジュールの電流損失が増加するという問題があった。【０００６】
特許文献２に開示してあるスイッチング電源装置は、同じプリント基板にトランスの１次側巻線と２次側巻線とを形成してあるので、１次側巻線と２次側巻線との相互インダクタンスによる結合が高く、漏れインダクタンスが小さくなる。漏れインダクタンスを大きくして回路動作に使用するためには、１次側巻線又は２次側巻線のコイルパターンを大型化する、複雑なパターンにする等の工夫を１次側巻線又は２次側巻線に施す必要があった。【０００７】
本発明は斯かる事情に鑑みてなされたものであり、電流損失を低減することができ、製造コストが安価な絶縁型スイッチング電源装置を提供することを目的とする。
【課題を解決するための手段】
【０００８】
上記目的を達成するために本発明に係る絶縁型スイッチング電源装置は、１次巻線と、２次巻線と、コアとを有するトランスと、少なくともスイッチング素子を有し、該スイッチング素子のオン・オフを制御して入力電力を入力端子から前記１次巻線に供給する１次側回路と、該１次側回路と絶縁され、前記トランスで電力変換された出力電力を前記２次巻線から出力端子へ出力する２次側回路とを備える絶縁型スイッチング電源装置であって、前記１次巻線が接続され、前記１次側回路及び前記入力端子を備える第１回路基板と、前記２次巻線が接続され、前記２次側回路及び前記出力端子を備える第２回路基板とを有し、前記第１回路基板と前記第２回路基板とを積層配置し、前記コアは、前記１次巻線及び前記２次巻線の双方が巻回されるように、前記第１回路基板及び前記第２回路基板を貫通することを特徴とする。【０００９】
上記構成では、１次巻線が接続され、１次側回路及び入力端子を備える第１回路基板と、２次巻線が接続され、２次側回路及び出力端子を備える第２回路基板とを有し、第１回路基板と第２回路基板とを積層配置し、コアは、１次巻線及び２次巻線の双方が巻回されるように、第１回路基板及び第２回路基板を貫通するので、第１回路基板及び第２回路基板のそれぞれに同じ回路を重複して設ける必要がなく、製造コストを安価にすることができる。また、第１回路基板に入力端子、第２回路基板に出力端子をそれぞれ設けてあるので、第１回路基板及び第２回路基板に形成されたパターン同士を接続する共通端子が必要なく、共通端子に大電流を流すことがないため、絶縁型スイッチング電源装置の電流損失を低減することができる。【００１０】
また、本発明に係る絶縁型スイッチング電源装置は、積層配置した前記第１回路基板と前記第２回路基板との間の距離を変更することにより、前記１次巻線と前記２次巻線との間の距離を変更して、前記トランスに生じる漏れインダクタンスの大きさを変化させ、前記トランスに生じた前記漏れインダクタンスを、前記１次巻線又は前記２次巻線に直列接続するインダクタのインダクタンスとして用いることが好ましい。【００１１】
上記構成では、積層配置した第１回路基板と第２回路基板との間の距離を変更することにより、１次巻線と２次巻線との間の距離を変更して、トランスに生じる漏れインダクタンスの大きさを変化させ、トランスに生じた漏れインダクタンスを、１次巻線又は２次巻線に直列接続するインダクタのインダクタンスとして用いるので、別途インダクタを第１回路基板又は第２回路基板に実装する必要がなく、構成する部品を減らすことができる。また、コイルパターンで１次巻線及び２次巻線を形成する場合に、トランスに漏れインダクタンスを生じさせるために、コイルパターンを大型化する、複雑なパターンにする等の工夫を１次巻線又は２次巻線に施す必要がない。【００１２】
また、本発明に係る絶縁型スイッチング電源装置は、積層配置した前記第１回路基板と前記第２回路基板との間の距離を決定するスペーサを備えることが好ましい。【００１３】
上記構成では、積層配置した第１回路基板と第２回路基板との間の距離を決定するスペーサを備えるので、トランスに所望の大きさの漏れインダクタンスを生じさせるように、積層配置した第１回路基板と第２回路基板との間の距離を容易に変更することができる。【００１４】
また、本発明に係る絶縁型スイッチング電源装置は、前記１次巻線は、前記第１回路基板にコイルパターンとして形成され、前記２次巻線は、前記第２回路基板にコイルパターンとして形成されていることが好ましい。【００１５】
上記構成では、１次巻線は、第１回路基板にコイルパターンとして形成され、２次巻線は、第２回路基板にコイルパターンとして形成されているので、別途巻線のコイルを第１回路基板又は第２回路基板に実装する必要がない。【００１６】
また、本発明に係る絶縁型スイッチング電源装置は、前記第１回路基板は、前記第２回路基板と対向する面の裏側の面に前記１次側回路の部品が配置され、前記第２回路基板は、前記第１回路基板と対向する面の裏側の面に前記２次側回路の部品が配置されていることが好ましい。【００１７】
上記構成では、第１回路基板は、第２回路基板と対向する面の裏側の面に１次側回路の部品が配置され、第２回路基板は、第１回路基板と対向する面の裏側の面に２次側回路の部品が配置されているので、第１回路基板と第２回路基板とを接触するまで近づけることができ、第１回路基板と第２回路基板との間の距離をより広い範囲で変更することができるため、トランスに生じる漏れインダクタンスの大きさをより広い範囲で変化させることができる。
【発明の効果】
【００１８】
上記構成によれば、１次巻線が接続され、１次側回路及び入力端子を備える第１回路基板と、２次巻線が接続され、２次側回路及び出力端子を備える第２回路基板とを有し、第１回路基板と第２回路基板とを積層配置し、コアは、１次巻線及び２次巻線の双方が巻回されるように、第１回路基板及び第２回路基板を貫通するので、第１回路基板及び第２回路基板のそれぞれに同じ回路を重複して設ける必要がなく、製造コストを安価にすることができる。また、第１回路基板に入力端子、第２回路基板に出力端子をそれぞれ設けてあるので、第１回路基板及び第２回路基板に形成されたパターン同士を接続する共通端子が必要なく、共通端子に大電流を流すことがないため、絶縁型スイッチング電源装置の電流損失を低減することができる。
【図面の簡単な説明】
【００１９】
【図１】本発明の実施の形態１に係る絶縁型スイッチング電源装置の回路構成を示す回路図である。
【図２】本発明の実施の形態１に係る絶縁型スイッチング電源装置の構成を示す概略図である。
【図３】本発明の実施の形態１に係る絶縁型スイッチング電源装置の別の回路構成を示す回路図である。
【図４】本発明の実施の形態２に係る絶縁型スイッチング電源装置の構成を示す概略図である。
【発明を実施するための形態】
【００２０】
以下、本発明の実施の形態について、図面を参照しながら詳細に説明する。
【００２１】
（実施の形態１）
図１は、本発明の実施の形態１に係る絶縁型スイッチング電源装置の回路構成を示す回路図である。図１に示す絶縁型スイッチング電源装置１は、１次側回路１１と、２次側回路２１と、トランスＴとを備えている。
【００２２】
トランスＴは、巻線Ｌｐで構成した１次巻線１２と、巻線Ｌｓ１、Ｌｓ２で構成した２次巻線２２と、コア３０とを有する。
【００２３】
１次側回路１１は、スイッチング素子Ｑ１、Ｑ２を有し、スイッチング素子Ｑ１、Ｑ２のオン・オフを制御して入力電力を入力端子Ｉｎから１次巻線１２に供給する回路である。具体的に、１次側回路１１は、トランスＴの巻線Ｌｓ１と閉ループをなすように接続してあるスイッチング素子Ｑ１及びキャパシタＣｒ１と、スイッチング素子Ｑ１に直列に接続され、トランスＴの巻線Ｌｓ１と別の閉ループをなすように接続してあるスイッチング素子Ｑ２及びキャパシタＣｒ２とを備えている。さらに、スイッチング素子Ｑ１には、オン・オフを制御するための第１スイッチング制御回路ＣＮＴ１が接続され、スイッチング素子Ｑ２には、オン・オフを制御するための第２スイッチング制御回路ＣＮＴ２が接続されている。１次側回路１１の入力端子Ｉｎには、電源Ｖｉが接続してある。
【００２４】
２次側回路２１は、トランスＴで電力変換された出力電力を２次巻線２２から出力端子Ｏｕｔへ出力する回路である。具体的に、２次側回路２１は、トランスＴの巻線Ｌｓ１、ＬＳ２のそれぞれに接続してある整流ダイオードＤｓ１、Ｄｓ２と、整流ダイオードＤｓ１、Ｄｓ２と出力端子Ｏｕｔとの間に接続してある平滑コンデンサＣｏとを備えている。なお、整流ダイオードＤｓ１、Ｄｓ２と平滑コンデンサＣｏとで、整流平滑回路を構成している。
【００２５】
第１スイッチング制御回路ＣＮＴ１には、トランスＴの巻線Ｌｐに印加されるトランス電圧Ｖｔの立ち上がりのタイミングがトリガ信号として入力される。また、第１スイッチング制御回路ＣＮＴ１には、出力端子Ｏｕｔの出力電圧Ｖｏを検出し、検出した出力電圧Ｖｏが所定電圧となるようにスイッチング素子Ｑ１がオン状態となる期間を決定するフィードバック信号が入力される。
【００２６】
第２スイッチング制御回路ＣＮＴ２には、トランスＴの巻線Ｌｐに印加されるトランス電圧Ｖｔの立ち下がりのタイミングがトリガ信号として入力される。また、第２スイッチング制御回路ＣＮＴ２には、トランスＴの巻線Ｌｐに印加されるトランス電圧Ｖｔを検出し、検出したトランス電圧Ｖｔが０Ｖとなるようにスイッチング素子Ｑ２をオン状態にする制御信号が入力される。なお、スイッチング素子Ｑ１、Ｑ２は、それぞれ相補的にオン、オフする信号を出力する制御ＩＣ等の制御回路により制御されても良い。また、絶縁型スイッチング電源装置１の回路構成は、一般的な電流共振型のハーフブリッジコンバータの回路構成と同じであり、絶縁型スイッチング電源装置１の動作も、一般的な電流共振型のハーフブリッジコンバータの動作と同じであるため、動作の詳細な説明は省略する。
【００２７】
次に、図２は、本発明の実施の形態１に係る絶縁型スイッチング電源装置１の構成を示す概略図である。図２に示す絶縁型スイッチング電源装置１は、１次巻線１２が接続され、１次側回路１１及び入力端子Ｉｎを備える第１回路基板１０と、２次巻線２２が接続され、２次側回路２１及び出力端子Ｏｕｔを備える第２回路基板２０とを有している。また、絶縁型スイッチング電源装置１は、第１回路基板１０と第２回路基板２０とを積層配置し、第１回路基板１０及び第２回路基板２０を貫通するコア３０に、１次巻線１２及び２次巻線２２を巻回してある。つまり、第１回路基板１０と第２回路基板２０とは、コア３０を介して電力を伝送するが、電気的には絶縁した状態である。
【００２８】
１次巻線１２は、第１回路基板１０に設けた導電膜をパターニングしてコイルパターンとして形成してある。同様に、２次巻線２２は、第２回路基板２０に設けた導電膜をパターニングしてコイルパターンとして形成してある。１次巻線１２及び２次巻線２２をコイルパターンとして形成する場合、別途巻線のコイルを第１回路基板１０又は第２回路基板２０に実装する必要がない。
【００２９】
積層配置した第１回路基板１０と第２回路基板２０との間の距離は、スペーサ４０により決定することができる。スペーサ４０は、スペーサ部４１と、スペーサ部４１の両端から延びる軸部４２とを有し、軸部４２を第１回路基板１０及び第２回路基板２０に設けた孔部４３に挿入して、第１回路基板１０と第２回路基板２０とに挟持される。スペーサ部４１の高さを変えることで、積層配置した第１回路基板１０と第２回路基板２０との間の距離を容易に変更することができる。
【００３０】
積層配置した第１回路基板１０と第２回路基板２０との間の距離を変更することにより、１次巻線１２と２次巻線２２との間の距離を変更して、トランスＴに生じる漏れインダクタンスの大きさを変化させている。トランスＴに生じた漏れインダクタンスを、図１に示す１次巻線１２に直列接続するインダクタＬｒのインダクタンスとして用いることで、別途インダクタを第１回路基板１０に実装する必要がなく、構成する部品を減らすことができる。また、トランスＴに生じる漏れインダクタンスの大きさを変化させることができるので、トランスＴに漏れインダクタンスを生じさせるために、コイルパターンを大型化する、複雑なパターンにする等の工夫を１次巻線１２又は２次巻線２２に施す必要がない。なお、トランスＴに生じた漏れインダクタンスを、１次巻線１２に直列接続するインダクタＬｒのインダクタンスとして用いる場合に限定されるものではなく、２次巻線２２に直列接続するインダクタのインダクタンスとして用いても良い。
【００３１】
スペーサ４０で第１回路基板１０と第２回路基板２０とを電気的に接続する必要はない。ただし、第１回路基板１０に１次側回路１１とは別の回路を形成し、第２回路基板２０に２次側回路２１とは別の回路を形成し、第１回路基板１０及び第２回路基板２０に形成した別の回路同士を電気的に接続する場合、導電材料のスペーサ４０を用いて第１回路基板１０と第２回路基板２０とを電気的に接続しても良い。また、スペーサ４０は、第１回路基板１０の入力端子Ｉｎと接続して入力端子として機能させても良く、第２回路基板２０の出力端子Ｏｕｔと接続して出力端子として機能させても良い。絶縁型スイッチング電源装置１が複数のスペーサ４０を有する場合、入力端子Ｉｎと接続するスペーサ４０と、出力端子Ｏｕｔと接続するスペーサ４０とをそれぞれ有していても良い。スペーサ４０が入力端子として機能する場合には、スペーサ４０と第２回路基板２０とを電気的に絶縁させておく。スペーサ４０が出力端子として機能する場合には、スペーサ４０と第１回路基板１０とを電気的に絶縁させておく。
【００３２】
絶縁型スイッチング電源装置１には、トランスＴからの熱を逃がすための放熱体５０が設けてある。なお、放熱体５０は、図２に示す構成及びトランスＴとの接触位置に限定されるものではなく、例えば第２回路基板２０側（図中の下面側）でトランスＴと接触していても良い。
【００３３】
以上のように、本発明の実施の形態１に係る絶縁型スイッチング電源装置１は、１次巻線１２が接続され、１次側回路１１及び入力端子Ｉｎを備える第１回路基板１０と、２次巻線２２が接続され、２次側回路２１及び出力端子Ｏｕｔを備える第２回路基板２０とを有し、第１回路基板１０と第２回路基板２０とを積層配置し、第１回路基板１０及び第２回路基板２０を貫通するコア３０に、１次巻線１２及び２次巻線２２を巻回してあるので、第１回路基板１０及び第２回路基板２０のそれぞれに同じ回路を重複して設ける必要がなく、製造コストを安価にすることができる。また、第１回路基板１０に入力端子Ｉｎ、第２回路基板２０に出力端子Ｏｕｔをそれぞれ設けてあるので、第１回路基板１０及び第２回路基板２０に形成されたパターン同士を接続する共通端子が必要なく、共通端子に大電流を流すことがないため、絶縁型スイッチング電源装置１の電流損失を低減することができる。
【００３４】
なお、コイルパターンとして形成してある１次巻線１２と２次巻線２２とは、第１回路基板１０と第２回路基板２０のそれぞれに、単層に形成されていても良く、複数の層にわたって多層に形成されていても良い。また、１次巻線１２と２次巻線２２としては、ボビンに巻回された巻線でも良く、エッジワイズコイル等のコイルであっても良い。また、絶縁型スイッチング電源装置１の回路構成は、電流共振型のハーフブリッジコンバータの回路構成と同じ場合に限定されるものではなく、ゼロ電圧スイッチング（ＺＶＳ）型コンバータ、位相シフトフルブリッジコンバータ等の回路構成と同じであっても良い。図３は、本発明の実施の形態１に係る絶縁型スイッチング電源装置１の別の回路構成を示す回路図である。図３に示す絶縁型スイッチング電源装置１ａは、１次側回路１１と、２次側回路２１と、トランスＴとを備えている。なお、絶縁型スイッチング電源装置１ａの回路構成は、位相シフトフルブリッジコンバータの回路構成と同じである。
【００３５】
トランスＴは、巻線Ｌｐで構成した１次巻線１２と、巻線Ｌｓ１で構成した２次巻線２２と、コア３０とを有する。
【００３６】
１次側回路１１は、スイッチング素子Ｑ１〜Ｑ４からなるフルブリッジ回路１３を有し、フルブリッジ回路１３のスイッチング素子Ｑ１〜Ｑ４のオン・オフを制御して入力電力を入力端子Ｉｎから１次巻線１２に供給する回路である。具体的に、１次側回路１１は、スイッチング素子Ｑ１〜Ｑ４のそれぞれにダイオード及びキャパシタが並列接続され、スイッチング素子Ｑ１〜Ｑ４のオン・オフを制御するためのスイッチング制御回路ＣＮＴが接続されている。１次側回路１１の入力端子Ｉｎには、電源Ｖｉが接続してあり、入力端子Ｉｎとフルブリッジ回路１３との間に入力平滑コンデンサＣが接続してある。さらに、１次側回路１１は、電流検出用カレントトランス１４、電流検出用カレントトランス１４で検出した電流値に基づきスイッチング制御回路ＣＮＴの動作を制御する制御回路１５を備えている。制御回路１５は、電流値を検出するダイオード、フィルタ回路、過電流保護回路を備えている。
【００３７】
２次側回路２１は、トランスＴで電力変換された出力電力を２次巻線２２から出力端子Ｏｕｔへ出力する回路である。具体的に、２次側回路２１は、トランスＴの巻線Ｌｓ１に接続してある整流ダイオードＤｓ１、Ｄｓ２と、整流ダイオードＤｓ１、Ｄｓ２と出力端子Ｏｕｔとの間に接続してあるチョークコイルＬｏ及び平滑コンデンサＣｏとを備えている。なお、整流ダイオードＤｓ１、Ｄｓ２、チョークコイルＬｏ及び平滑コンデンサＣｏとで、整流平滑回路を構成している。なお、絶縁型スイッチング電源装置１ａの動作は、一般的な位相シフトフルブリッジコンバータの動作と同じであるため、動作の詳細な説明は省略する。
【００３８】
（実施の形態２）
図４は、本発明の実施の形態２に係る絶縁型スイッチング電源装置の構成を示す概略図である。図４に示す絶縁型スイッチング電源装置２の回路構成は、実施の形態１に係る絶縁型スイッチング電源装置１、１ａの回路構成と同じ構成であるため、詳細な説明は省略する。
【００３９】
絶縁型スイッチング電源装置２は、１次巻線１２が接続され、１次側回路１１及び入力端子Ｉｎを備える第１回路基板１０と、２次巻線２２が接続され、２次側回路２１及び出力端子Ｏｕｔを備える第２回路基板２０とを有している。また、絶縁型スイッチング電源装置２は、第１回路基板１０と第２回路基板２０とを積層配置し、第１回路基板１０及び第２回路基板２０を貫通するコア３０に、１次巻線１２及び２次巻線２２を巻回してある。つまり、第１回路基板１０と第２回路基板２０とは、コア３０を介して電力を伝送するが、電気的には絶縁した状態である。
【００４０】
なお、第１回路基板１０は、第２回路基板２０と対向する面の裏側の面に１次側回路１１の部品を配置してあり、第２回路基板２０は、第１回路基板１０と対向する面の裏側の面に２次側回路２１の部品を配置してある。そのため、第１回路基板１０と第２回路基板２０とを接触するまで近づけることができ、積層配置した第１回路基板１０と第２回路基板２０との間の距離をより広い範囲で変更することができるため、トランスＴに生じる漏れインダクタンスの大きさをより広い範囲で変化させることができる。なお、第１回路基板１０と第２回路基板２０とを接触させた場合、１次巻線１２と２次巻線２２との相互インダクタンスによる結合が最も高くなり、トランスＴに生じる漏れインダクタンスの大きさが最小になる。
【００４１】
１次側回路１１は、第１回路基板１０の図中の左側に形成され、２次側回路２１は、第２回路基板２０の図中の右側に形成される場合に限定されるものではなく、１次側回路１１は、第１回路基板１０の図中の左側又は右側のいずれ側に形成しても良いし、２次側回路２１は、第２回路基板２０の図中の左側又は右側のいずれ側に形成しても良い。また、第１回路基板１０及び第２回路基板２０の形状も、トランスＴの両側に延びる矩形状に限定されるものではなく、トランスＴの片側に延びる矩形状等であっても良い。
【００４２】
以上のように、本発明の実施の形態２に係る絶縁型スイッチング電源装置２は、第１回路基板１０は、第２回路基板２０と対向する面の裏側の面に１次側回路１１の部品を配置してあり、第２回路基板２０は、第１回路基板１０と対向する面の裏側の面に２次側回路２１の部品を配置してあるので、第１回路基板１０と第２回路基板２０とを接触するまで近づけることができ、積層配置した第１回路基板１０と第２回路基板２０との間の距離をより広い範囲で変更することができるため、トランスＴに生じる漏れインダクタンスの大きさをより広い範囲で変化させることができる。
【符号の説明】
【００４３】
１、１ａ、２  絶縁型スイッチング電源装置
１０  第１回路基板
１１  １次側回路
１２  １次巻線
１３  フルブリッジ回路
１４  電流検出用カレントトランス
１５  制御回路
２０  第２回路基板
２１  ２次側回路
２２  ２次巻線
３０  コア
４０  スペーサ
４１  スペーサ部
４２  軸部
４３  孔部
５０  放熱体
Ｔ  トランス
【図１】
2012108221.tif 000003
【図２】
2012108221.tif 000004
【図３】
2012108221.tif 000005
【図４】
2012108221.tif 000006
【国際調査報告】
2012108221.tif 000007
2012108221.tif 000008